(57)【要約】【課題】  情報収集デバイスを具備する無線端末を円滑に制御する。【解決手段】  所定の通信プロトコルに沿った無線通信が可能な情報処理装置（10）と、情報収集デバイスを具備し情報処理装置と無線通信を行う無線端末（20）とを含む無線端末制御システム（100）。情報処理装置は、情報収集デバイスを動作させるコマンドを含み且つ無線端末に対する一連の制御手順を示す制御プログラムを選定するプログラム選定部と、制御プログラムから無線端末に供給すべきコマンドを抽出するコマンド抽出部とを有する。無線端末は、情報処理装置からのコマンドを当該端末で解釈可能なコマンド情報に翻訳する翻訳部と、情報収集デバイスが収集した収集情報を取得する情報取得部と、収集情報を情報処置装置へ送信する情報送信部とを有する。情報処理装置のコマンド抽出部は、無線端末からの収集情報に基づきコマンドを抽出する。【選択図】      図１
2005039604.tif 000002
【特許請求の範囲】
【請求項１】
所定の通信プロトコルに沿った無線通信が可能な情報処理装置と、所定の情報収集処理を行う情報収集デバイスを具備し前記情報処理装置と前記通信プロトコルに従い無線通信を行う無線端末とを備える無線端末制御システムであって、
前記情報処理装置は、
前記情報収集デバイスを動作させるコマンドを含み且つ前記無線端末に対する一連の制御手順を示す所定の制御プログラムを選定するプログラム選定部と、前記所定の制御プログラムから前記無線端末に供給すべきコマンドを抽出するコマンド抽出部とを有し、
前記無線端末は、
前記情報処理装置から供給されたコマンドを当該無線端末で解釈可能なコマンド情報に翻訳する翻訳部と、前記情報収集デバイスが前記コマンド情報に基づき収集した収集情報を取得する情報取得部と、該情報取得部により取得した収集情報を前記所定の通信プロトコルに沿って前記情報処置装置へ送信する情報送信部とを有し、
前記情報処理装置のコマンド抽出部は、前記無線端末からの収集情報に基づきコマンドを抽出することを特徴とする無線端末制御システム。
【請求項２】
前記無線端末の情報取得部は、前記情報収集デバイスを識別するためのデバイス識別情報を当該デバイスから取得し、前記情報送信部は、前記デバイス識別情報を前記情報処理装置へ送信し、
前記情報処理装置のプログラム選定部は、前記無線端末からの前記デバイス識別情報に基づき前記所定の制御プログラムを選定することを特徴とする請求項１記載の無線端末制御システム。
【請求項３】
前記無線端末の情報収集デバイスは、バーコードスキャナであることを特徴とする請求項１又は２記載の無線端末制御システム。
【請求項４】
所定の通信プロトコルに沿った無線通信が可能な情報処理装置と当該通信プロトコルに従い無線通信を行う無線端末であって、
前記情報処理装置から無線通信により供給されるコマンドを当該端末で解釈可能なコマンド情報に翻訳する翻訳部と、
前記コマンド情報に基づき所定の情報収集処理を行う情報収集デバイスと、
前記情報収集デバイスが収集した収集情報を取得する情報取得部と、
前記情報取得部により取得した収集情報を前記所定の通信プロトコルに沿って前記情報処置装置へ送信する情報送信部とを備えることを特徴とする無線端末。
【請求項５】
前記情報収集デバイスは、バーコードスキャナであることを特徴とする請求項４記載の無線端末。
【請求項６】
所定の通信プロトコルに沿った無線通信が可能な情報処理装置と、所定の情報収集処理を行う情報収集デバイスを具備し前記情報処理装置と前記通信プロトコルに従い無線通信を行う無線端末とを備える無線端末制御システムのための無線端末制御方法であって、
前記無線端末が、前記情報収集デバイスを識別するためのデバイス識別情報を前記情報処理装置へ送信するステップと、
前記情報処理装置が、前記情報収集デバイスを動作させるコマンドを含み且つ前記無線端末に対する一連の制御手順を示す所定の制御プログラムを前記デバイス識別情報に基づき選定した後、当該所定の制御プログラムから前記無線端末に供給すべきコマンドを抽出して該コマンドを前記無線端末へ送信するステップと、
前記無線端末が、前記情報処理装置からのコマンドを当該無線端末で解釈可能なコマンド情報に翻訳した後、当該コマンド情報に基づき前記情報収集デバイスが収集した収集情報を前記情報処置装置へ送信するステップと、
前記情報処理装置が、前記無線端末からの収集情報に基づき前記所定の制御プログラムから新たにコマンドを抽出するステップとを含むことを特徴とする無線端末制御方法。
【発明の詳細な説明】
【技術分野】
【０００１】
本発明は、移動通信を行う無線端末を制御するシステムに関し、特に、バーコードスキャナのような情報収集機能を果たすデバイスを具備する無線端末の制御システムに関する。
【背景技術】
【０００２】
従来、コンピュータにより作成したアプリケーションプログラムを、携帯電話機や電子手帳のような無線端末へ効率的に提供する手法がある。その手法において、サーバとなるコンピュータは、提供すべきプログラムを予め無線端末が解釈可能な言語に変換し、それを受信した無線端末において、当該プログラムを解釈しアプリケーションを実行する。
【０００３】
サーバ側から提供されるプログラムの多くは、端末ユーザの操作性を高めるためのＧＵＩ（Graphical User Interface）を形成するものであり、当該プログラムが端末に提供されると、端末およびユーザ間で、サーバに依存しない手順を展開する。この種の技術としては、例えば、後述の特許文献１に記載されたものがある。
【特許文献１】特開２０００−１８７５９５号公報
【発明の開示】
【発明が解決しようとする課題】
【０００４】
ところで、販売システムや流通システム等においては、例えばバーコードスキャナ機能のような情報収集機能を持つ無線端末を従業員に携行させ、当該端末による情報収集処理をサーバ側で管理することが求められている。このようなシステムでは、従業員が情報収集作業を行うにあたり、サーバおよび無線端末での間の双方向のやりとりが必要とされる。しかしながら、従来の技術は、このような双方向の手順は考慮されていないことから、当該技術を情報収集機能を持つ無線端末に適用し難いという不都合がある。
【０００５】
本発明は、上記課題に鑑みてなされたものであり、その目的は、情報収集機能を具備した無線端末の動作を円滑に制御し得る無線端末制御システムを提供することにある。
【課題を解決するための手段】
【０００６】
本発明に係る無線端末制御システムは、所定の通信プロトコルに沿った無線通信が可能な情報処理装置と、所定の情報収集処理を行う情報収集デバイスを具備し前記情報処理装置と前記通信プロトコルに従い無線通信を行う無線端末とを備える無線端末制御システムであって、前記情報処理装置は、前記情報収集デバイスを動作させるコマンドを含み且つ前記無線端末に対する一連の制御手順を示す所定の制御プログラムを選定するプログラム選定部と、前記所定の制御プログラムから前記無線端末に供給すべきコマンドを抽出するコマンド抽出部とを有し、前記無線端末は、前記情報処理装置から供給されたコマンドを当該無線端末で解釈可能なコマンド情報に翻訳する翻訳部と、前記情報収集デバイスが前記コマンド情報に基づき収集した収集情報を取得する情報取得部と、該情報取得部により取得した収集情報を前記所定の通信プロトコルに沿って前記情報処置装置へ送信する情報送信部とを有し、前記情報処理装置のコマンド抽出部は、前記無線端末からの収集情報に基づきコマンドを抽出することを特徴とする。
【０００７】
また、本発明に係る無線端末は、所定の通信プロトコルに沿った無線通信が可能な情報処理装置と当該通信プロトコルに従い無線通信を行う無線端末であって、前記情報処理装置から無線通信により供給されるコマンドを当該端末で解釈可能なコマンド情報に翻訳する翻訳部と、前記コマンド情報に基づき所定の情報収集処理を行う情報収集デバイスと、前記情報収集デバイスが収集した収集情報を取得する情報取得部と、前記情報取得部により取得した収集情報を前記所定の通信プロトコルに沿って前記情報処置装置へ送信する情報送信部とを備えることを特徴とする。本発明の無線端末における情報収集デバイスに、例えばバーコードスキャナを適用することができる。
【０００８】
また、本発明に係る無線端末制御方法は、所定の通信プロトコルに沿った無線通信が可能な情報処理装置と、所定の情報収集処理を行う情報収集デバイスを具備し前記情報処理装置と前記通信プロトコルに従い無線通信を行う無線端末とを備える無線端末制御システムのための無線端末制御方法であって、前記無線端末が、前記情報収集デバイスを識別するためのデバイス識別情報を前記情報処理装置へ送信するステップと、前記情報処理装置が、前記情報収集デバイスを動作させるコマンドを含み且つ前記無線端末に対する一連の制御手順を示す所定の制御プログラムを前記デバイス識別情報に基づき選定した後、当該所定の制御プログラムから前記無線端末に供給すべきコマンドを抽出して該コマンドを前記無線端末へ送信するステップと、前記無線端末が、前記情報処理装置からのコマンドを当該無線端末で解釈可能なコマンド情報に翻訳した後、当該コマンド情報に基づき前記情報収集デバイスが収集した収集情報を前記情報処置装置へ送信するステップと、前記情報処理装置が、前記無線端末からの収集情報に基づき前記所定の制御プログラムから新たにコマンドを抽出するステップとを含むことを特徴とする。
【発明の効果】
【０００９】
本発明に係る無線端末制御システムおよび無線端末制御方法によれば、無線端末および情報処理装置間での対話形式の手順により、無線端末の情報収集デバイスに対応した処理シナリオに沿って当該無線端末を制御することができる。これにより、無線端末の動作を情報処理装置側で円滑に制御することができる。
【００１０】
また、本発明に係る無線端末の情報収集デバイスにバーコードスキャナを適用すれば、バーコード情報を用いた種々の管理システムにおける情報処理装置が当該無線端末を円滑に制御できることから、この無線端末の利用者の作業を効率化することができる。
【発明を実施するための最良の形態】
【００１１】
［実施例１］
本発明に係る無線端末制御システムの一つの実施例として、所定の情報収集処理を行う情報収集デバイスにバーコードスキャナを具備する無線端末の制御形態を示す。以下、図面を用いて、実施例１を詳細に説明する。
【００１２】
図１は、実施例の無線端末制御システム１００の構成を示すブロック図である。無線端末制御システム１００は、図１に示すように、所定の通信プロトコルに沿った無線通信が可能な情報処理装置であるサーバ１０と、バーコードスキャナ機能を果たすデバイスを具備し前記通信プロトコルに従いサーバ１０と無線通信を行う無線端末２０とを備える。サーバ１０は、例えば汎用のパーソナルコンピュータを用いることができ、無線端末２０に対し電波を発する無線基地局３０を制御する基地局制御装置４０と、ＬＡＮのようなネットワーク５０を介して通信可能に接続されている。
【００１３】
サーバ１０および無線端末２０間における無線通信のための通信プロトコルとしては、例えば、ＰＨＳ（登録商標）のためのＰＩＡＦＳ（PHS Internet Access Forum Standard）のプロトコル、あるいは、パケット通信のためのＩＴＵ−Ｔ  Ｘ．２５で規定されているプロトコル等を適用することができる。
【００１４】
サーバ１０には、予め、無線端末２０に対する一連の制御手順を示す制御プログラムが登録される。この制御プログラムは、無線端末制御システム１００で採用する通信プロトコルに準じて作成されたものであり、後述のバーコードスキャナ機構２０ｅのような無線端末２０の情報収集デバイスを動作させるコマンド、および、当該デバイスの情報収集結果に応じて前記コマンドを選定するための判断処理等から構成される処理シナリオに対応する。上記のコマンドは、無線端末２０に指示すべき動作内容に対して一意的に設定されている。例えば、無線端末２０にバーコードの読み取りを指示するコマンドを「＜SCAN＞」とする場合、このコマンドを他の指示内容に割り当てないようにする。制御プログラムに沿ったサーバ１０の動作については、後に説明する。
【００１５】
図２に、サーバ１０の機能的な構成を示す。サーバ１０は、上記の制御プログラムを記憶する記憶部１１と、該記憶部１１から所定の制御プログラムを選定するプログラム選定部１２と、該選定部１２により選定された制御プログラムから無線端末２０へ供給すべきコマンドを抽出するコマンド抽出部１３と、該抽出部１３により抽出されたコマンドを無線端末２０へ送信するサーバ通信部１４とを備える。
【００１６】
プログラム選定部１２は、上記の制御プログラムとは別個のプログラムにより実現される機能であり、無線端末２０から供給される後述のデバイス識別情報に基づき制御プログラムを選定する。コマンド抽出部１３は、制御プログラムに含まれる機能であり、無線端末２０から供給される後述の収集情報に基づきコマンドを抽出する。サーバ通信部１４は、無線端末２０との無線通信のための通信モデムを含む通信処理機構により実現される機能であり、無線端末制御システム１００で採用した通信プロトコルに沿って、無線端末２０に対する無線信号の送受信処理を行う。
【００１７】
他方、本実施例の無線端末２０は、ＰＨＳ（登録商標）のような移動電話機能および電子手帳のようなスケジュール管理機能等を有する従来知られた無線端末に、バーコードを読み取るバーコードスキャナ機能を果たすデバイスが搭載されたものである。図３に、無線端末２０の主なハードウエア構成を示す。図示の構成では、上記の移動電話機能およびスケジュール管理機能に対応する構成部分は省略する。
【００１８】
無線端末２０は、図３に示すように、アンテナ２０ａを介して無線信号を送受信するモデム機構を含む通信処理機構２０ｂと、無線端末２０の動作を制御するＭＰＵのような制御機構２０ｃと、ＲＡＭおよびＲＯＭを含む記憶機構２０ｄと、無線端末２０の情報収集デバイスであるバーコードスキャナ機構２０ｅと、メッセージ画面を表示するＬＣＤディスプレイのような表示機構２０ｆと、電源ボタンような操作キーを構成する操作機構２０ｇとが、無線端末２０内の導電路を形成するバス２０ｈを介して相互に接続されている。
【００１９】
また、図４に、上記ハードウエア構成を備える無線端末２０の機能的な構成を示す。無線端末２０は、サーバ１０に対する無線信号の送受信処理を行う情報送信部である端末通信部２１と、端末通信部２１でサーバ１０から受信した無線信号からコマンドを取得するコマンド取得部２２と、当該コマンドを無線端末２０で解釈可能な機械語に翻訳してコマンド情報を形成する翻訳部２３と、前記コマンド情報を上述のバーコードスキャナ機構２０ｅおよび表示機構２０ｆのそれぞれに対応する規格に変換するインタフェース部２４と、バーコードスキャナ機構２０ｅのようなデバイスを識別するためのデバイス識別情報または当該デバイスにより収集した収集情報をインタフェース部２４を介して取得し、これを端末通信部２１へ供給する情報取得部２５とを備える。
【００２０】
端末通信部２１およびコマンド取得部２２は、図３の通信処理機構２０ｂにより実現される機能であり、翻訳部２３および情報取得部２５は、それぞれ記憶機構２０ｄに予め格納されているソフトウェア上の機能である。また、インタフェース部２４は、バーコードスキャナ機構２０ｅのようなデバイス毎に対応した、いわゆるデバイスドライバの集合体である。このインタフェース部２４には、バーコードスキャナ機構２０ｅに対応したスキャナドライバ２４ａと、表示機構２０ｆに対応した表示ドライバ２４ｂとが含まれ、それぞれ必要に応じて記憶機構２０ｄに格納される。
【００２１】
図５に示すシーケンス図に沿って、無線端末制御システム１００の動作を説明する。ここでは、その一例として、無線端末制御システム１００を病院に適用し、当該病院の医師や看護士等の職員に上述の無線端末２０を携行させた例を説明する。以下の動作手順は、職員が入院患者への投薬に際し、その薬品が当該患者にとって適正なものであるか否かを無線端末２０により確認するための手順である。
【００２２】
なお、サーバ１０の記憶部１１には、予め、上記の動作手順を示す図６のような処理シナリオに対応した制御プログラムが格納されているものとする。図示の例では、バーコードの読み取りを指示するコマンドを「＜SCAN＞」とし、職員に何らかのメッセージを報知する画面を表示機構２０ｆに表示させるコマンドを「＜DISPLAY＞」としている。
【００２３】
まず、病院の職員が、患者への投薬に先立って無線端末２０を起動させるべく、当該端末２０の操作機構２０ｇの所定キーを押下すると（ステップＳ１）、情報取得部２５は、当該無線端末２０が具備する情報収集デバイスのリソース情報、すなわちバーコードスキャナ機構２０ｅを識別するためのデバイス識別情報を、インタフェース部２４を介してバーコードスキャナ機構２０ｅから取得し、これを端末通信部２１へ通知する。端末通信部２１は、このデバイス識別情報を所定の通信プロトコルに従いサーバ１０へ送信する（ステップＳ２）。これにより、サーバ１０で制御すべき無線端末２０が、バーコードスキャナ機構２０ｅを具備するものであることが通知される。
【００２４】
サーバ１０のサーバ通信部１４は、所定の通信プロトコルに沿って無線端末２０からの前記デバイス識別情報を受信すると、これをプログラム選定部１２に渡す。プログラム選定部１２は、前記デバイス識別情報により、無線端末２０がバーコードスキャナ機構２０ｅを具備するものと認識し、記憶部１１から図６の前記処理シナリオに対応する制御プログラムを選定する（ステップＳ３）。そして、選定した制御プログラムをコマンド抽出部１３へ渡す。なお、プログラム選定部１２による制御プログラムの選定にあたっては、例えばデバイス識別情報と制御プログラムとを対応付けたリストを予めサーバ１０に登録し、このリストに基づき選定を行うようにすることが望ましい。
【００２５】
コマンド抽出部１３は、プログラム選定部１２から制御プログラムを受けると、無線端末２０が行うべき最初の情報収集処理を指示するコマンド、および、当該処理の報知を指示するコマンドであるコマンドＣ１（図６）を抽出し、これをサーバ通信部１４へ渡す（ステップＳ４）。コマンドＣ１の「＜SCAN＞患者コード」で無線端末２０に指示される最初の情報収集処理とは、患者を識別するバーコード情報を読み取ってサーバ１０に通知することを指す。また、「＜DISPLAY＞（画面Ａ）」とのコマンドは、図７に示すような画面Ａを画面表示するよう指示するものである。サーバ通信部１４は、コマンドＣ１をセットした無線信号を無線端末２０に送信する（ステップＳ５）。
【００２６】
無線端末２０では、端末通信部２１がサーバ１０からの無線信号を受信すると、この信号がコマンド取得部２２へ渡される。コマンド取得部２２は、当該信号からコマンドＣ１を抽出して翻訳部２３へ渡す。翻訳部２３は、コマンドＣ１を無線端末２０が解釈可能な機械語に翻訳してコマンド情報を形成し、当該コマンド情報をインタフェース部２４へ渡す（ステップＳ６）。
【００２７】
インタフェース部２４の表示ドライバ２４ｂは、前記コマンド情報を変換して表示機構２０ｆに渡し、図７の画面Ａを表示させる（ステップＳ７）。これにより、職員に対し患者コードの読み取りが報知される。このとき、バーコードスキャナ機構２０ｅは、スキャナドライバ２４ａを介して取得した前記コマンド情報に基づき、バーコードの読み取り準備を行う。
【００２８】
続いて、前記画面Ａを視認した職員が、その指示に従うべく、例えば患者のベッド付近に掲示されているバーコードに、無線端末２０のバーコードスキャナ機構２０ｅを接近させると、当該機構２０ｅが読み取り処理を行う（ステップＳ８）。情報取得部２５は、読み取られたバーコード情報を、インタフェース部２４を介して取得し、端末通信部２１へ渡す（ステップＳ９）。そして、端末通信部２１は、患者コードを示すバーコード情報をサーバ１０へ送信する（ステップＳ１０）。
【００２９】
サーバ１０のサーバ通信部１４は、無線端末２０からのバーコード情報を受信すると、これをコマンド抽出部１３へ渡す。コマンド抽出部１３は、前記制御プログラムに沿った次の動作として、患者名の検索を行うべく、患者に関し予めサーバ１０が保持する図８に示すような患者リストから患者名を検索する。この患者リストの構成は適宜設定することができ、図示の例では、患者コードに、患者名や、当該患者に投与可能な薬品のコードおよび薬品名等が対応付けられている。
【００３０】
患者名の検索に続いて、コマンド抽出部１３は、制御プログラムから、図６に示すようなコマンドＣ２を抽出する（ステップＳ１１）。コマンドＣ２である「＜SCAN＞薬品コード」および「＜DISPLAY＞（画面Ｂ）」は、患者に投与しようとする薬品の薬品コードの読み取りを指示するコマンド、および、当該指示を職員に報知するための図７に示すような画面Ｂを表示させるコマンドである。前記患者リストから検索した患者名は、この画面Ｂに反映される。コマンド抽出部１３は、抽出したコマンドＣ２を端末通信部２１へ渡し、端末通信部２１は、これを無線端末２０へ送信する（ステップＳ１２）。
【００３１】
サーバ１０は、サーバ１０から前記コマンドＣ２を受けると、前記ステップＳ６の処理と同様に、これを翻訳部２３でコマンド情報に翻訳し（ステップＳ１３）、当該コマンド情報をインタフェース部２４に渡す。そして、インタフェース部２４の表示ドライバ２４ｂが、当該コマンド情報に基づき、前記画面Ｂを表示機構２０ｆに表示させる（ステップＳ１４）。これにより、職員に薬品コードの読み取り指示が報知される。また、図示の例のように、読み取り指示に併せて患者名を明示することにより、サーバ１０で認識した患者の正誤を職員に確認させることができる。
【００３２】
続いて、職員が薬品コードを読み取るべく、点滴薬のような薬品に付されたバーコードに、無線端末２０のバーコードスキャナ機構２０ｅを接近させてバーコード情報を読み取り（ステップＳ１５）、前記ステップＳ９と同様に、情報取得部２５が当該バーコード情報を取得して、これを端末通信部２１へ渡す（ステップＳ１６）。端末通信部２１は、薬品コードを示すバーコード情報をサーバ１０へ送信する（ステップＳ１７）。
【００３３】
サーバ１０では、無線端末２０からの薬品コードがサーバ通信部１４を経てコマンド抽出部１３に渡される。コマンド抽出部１３は、既に無線端末２０から通知されている患者コードに対応する薬品コードを図８の前記患者リストから検索すると共に、当該薬品コードと、無線端末２０から通知された薬品コードとを照合し、その照合結果に対応したコマンドを制御プログラムから抽出する（ステップＳ１８）。
【００３４】
すなわち、ステップＳ１８では、無線端末２０から通知された薬品コードと、患者リストのものとが一致する場合、コマンド抽出部１３が、その薬品の投与を許可することを報知する図７の画面Ｃを表示させるコマンドＣ３（図６）を抽出する。また、薬品コードが一致しない場合は、投薬の中止を指示すべく、図７に示す画面Ｄを表示させるコマンドＣ４（図６）を抽出する。コマンド抽出部１３は、前記照合結果に応じて抽出したコマンドＣ３またはＣ４をサーバ通信部１４に渡し、サーバ通信部１４は、当該コマンドを無線端末２０へ送る（ステップＳ１９）。
【００３５】
無線端末２０では、サーバ１０から前記コマンドを受けると、上述の手順と同様に、これを翻訳部２３がコマンド情報に翻訳し、当該コマンド情報がインタフェース部２４を介して表示機構２０ｆに渡される（ステップＳ２０）。サーバ１０からのコマンドがコマンドＣ３である場合、すなわち薬品コードが一致した場合、表示機構２０ｆは、前記画面Ｃを表示する（ステップＳ２１）。これにより、患者に投与しようとする薬品が適正であることを職員が認識できる。
【００３６】
また、薬品コードの照合結果が不一致となり、他方のコマンドＣ４が送られた場合は、表示機構２０ｆには、前記画面Ｄが表示される（ステップＳ２１）。この画面Ｄを視認した職員は、患者への投薬を中止して薬品の確認を行う。これにより、不適切な薬品が患者に投薬されることを防止できる。
【００３７】
このように、無線端末制御システム１００では、無線端末２０が収集したバーコード情報の内容に応じて、サーバ１０が無線端末２０へ新たな動作指示を行うというように、サーバ１０と無線端末２０とが、処理シナリオに沿った対話形式の手順を展開する。よって、無線端末制御システム１００によれば、バーコードスキャナ機構２０ｅのような情報収集デバイスを具備する無線端末２０の動作を、サーバ１０から円滑に制御することができる。
［実施例２］
【００３８】
上述の実施例１では、無線端末２０のバーコードスキャナ機構２０ｅに関する情報収集処理を説明したが、本発明は、複数の情報収集デバイスを具備する無線端末にも適用することができる。その一例として、バーコードスキャナ機構２０ｅの他に、ガスメータを測定するメータ測定機構（図示略）を具備する無線端末２０を挙げ、この無線端末２０をガスメータの検針員に携行させた場合の制御手順の概略を、図９に沿って説明する。
【００３９】
図９に示す一連の画面は、無線端末２０が、サーバ１０との上述と同様な対話形式の手順により、表示機構２０ｆに表示させる画面の例であり、各画面の下方に記載のコマンドは、以下に説明する手順に対応した制御プログラム中のコマンドである。図示の例では、検針員にガスメータの測定を指示するコマンドとして「＜GAS＞」が用いられている。
【００４０】
まず、メータ検針員が無線端末２０の所定のボタンを押下すると、無線端末２０は、情報収集デバイスのリソース情報、すなわちバーコードスキャナ機構２０ｅおよび上記のメータ測定機構を示すデバイス識別情報をサーバ１０へ通知する。これを受けたサーバ１０のプログラム選定部１２は、当該無線端末２０に対応する所定の制御プログラムを選定し、コマンド抽出部１３が、当該プログラム中から「＜SCAN＞顧客コード」および「＜DISPLAY＞（画面ａ）」のコマンドを抽出する。そして、このコマンドをサーバ通信部１４が無線端末２０に送信する。
【００４１】
図９に示す画面ａは、サーバ１０からの前記コマンドに基づき無線端末２０に表示される画面であり、この画面により、バーコードスキャナ機構２０ｅで顧客コードを読み取るよう指示される。画面ａを視認した検針員が、ガスメータ付近などに掲示されている顧客コードをバーコードスキャナ機構２０ｅで読み取って、これを無線端末２０からサーバ１０へ通知すると、サーバ１０から「＜GAS＞顧客メータ」および「＜DISPLAY＞（画面ｂ）」のコマンドが返される。無線端末２０は、サーバ１０からのコマンドに基づき図９の画面ｂを表示する。画面ｂは、当該顧客宅のガスメータを上記のメータ測定機構により測定するよう指示するものである。
【００４２】
続いて、検針員が前記画面ｂを視認し、無線端末２０のメータ測定機構によりガスメータを測定すると、その測定結果となる収集情報が無線端末２０からサーバ１０へ通知される。この通知を受けたサーバ１０は、メータの測定結果が適正なものであれば、作業の終了を通知する「＜DISPLAY＞（画面ｃ）」を返す。また、測定結果が、例えば異常な数値を示すものであれば、同一のメータを再度測定するよう指示する「＜DISPLAY＞（画面ｄ）」と、上記と同様の「＜GAS＞顧客メータ」とを返す。
【００４３】
無線端末２０は、サーバ１０から前記「＜DISPLAY＞（画面ｃ）」のコマンドを受けた場合、図９の画面ｃを表示する。これにより、検針員は、メータの測定作業が適正に終了したことを知ることができる。また、他方の「＜DISPLAY＞（画面ｄ）」を受けた場合は、同図の画面ｄを表示する。この画面ｄを視認した検針員は、サーバ１０に通知した測定結果が適正なものではなかったと認識し、前記メータを再度測定する。
【００４４】
このように、無線端末制御システム１００は、バーコードスキャナ機構２０ｅおよびメータ測定機構のような複数の情報収集デバイスを具備する無線端末２０に対し、それらのデバイスに関する動作を、予め設定された処理シナリオに沿って選択的に制御することができる。
【００４５】
上述の実施例は、無線端末に対し、バーコードの読み取りや、メータの測定を制御するものであったが、本発明を実施するにあたっては、これらの例に限らず、無線端末が具備する種々の情報収集デバイスに対応した動作制御を行うことができる。よって、例えば、２次元バーコードスキャナ機構、あるいは、指紋読み取り機構等を搭載した無線端末に本発明を適用すれば、流通システムやセキュリティーシステムなどに好適な無線端末制御システムを構築することができる。
【図面の簡単な説明】
【００４６】
【図１】本発明に係る無線端末制御システムの実施例の構成を示すブロック図である。
【図２】実施例におけるサーバの機能構成を示すブロックである。
【図３】実施例における無線端末のハードウエア構成を示すブロック図である。
【図４】実施例における無線端末の機能構成を示すブロック図である。
【図５】実施例１の動作を説明するためのシーケンス図である。
【図６】実施例１の処理シナリオを説明するための説明図である。
【図７】実施例１における無線端末の画面表示例を説明するための説明図である。
【図８】実施例１における患者リストを説明するための説明図である。
【図９】実施例２の動作および無線端末の画面表示例を説明するための説明図である。
【符号の説明】
【００４７】
１００  無線端末制御システム
１０  サーバ
２０  無線端末
３０  無線基地局
４０  基地局制御装置
５０  ネットワーク
１１：記憶部、１２：プログラム選定部、１３：コマンド抽出部、１４：サーバ通信部
２０ａ：アンテナ、２０ｂ：通信処理機構、２０ｃ：制御機構、２０ｄ：記憶機構、２０ｅ：バーコードスキャナ機構、２０ｆ：表示機構、２０ｇ：操作機構、２０ｈ：バス
２１：端末通信部、２２：コマンド取得部、２３：翻訳部、２４：インタフェース部、２４ａ：スキャナドライバ、２４ｂ：表示ドライバ、２５：情報取得部
【図１】
2005039604.tif 000003
【図２】
2005039604.tif 000004
【図３】
2005039604.tif 000005
【図４】
2005039604.tif 000006
【図５】
2005039604.tif 000007
【図６】
2005039604.tif 000008
【図７】
2005039604.tif 000009
【図８】
2005039604.tif 000010
【図９】
2005039604.tif 000011